(57)【要約】【課題】  不正行為を十分に抑制することができるとともに、封止作業及び開封作業の簡易化を図ることができる基板ケースの封止構造を提供する。【解決手段】  封止構造２３は、カシメ部材３１と、嵌合雌部材３２と、カシメ部材３１と嵌合雌部材３２の間に挟持固定される介装部材３３とを備え、カシメ部材３１は、頭部５７と、挿入部５８ａ，５８ｂとを有し、嵌合雌部材３２は、挿入口４８と、収容部４２とを有し、介装部材３３は、挿通孔５１を有している。嵌合雌部材３２において収容部４２の内部には被係止部が設けられ、介装部材３３において挿通孔５１の周縁には収容凹部５４が設けられ、介装部材３３が介装された状態でカシメ部材３１が嵌合雌部材３２に嵌合されると、被係止部に挿入部５８ａが係止され、収容凹部５４にカシメ部材３１の頭部５７が収容される。【選択図】      図３
2010201029.tif 000002
【特許請求の範囲】
【請求項１】
遊技機の制御基板を収容する本体ケースと、該制御基板を収容するべく該本体ケースに設けられた収容口を閉塞するケース蓋とからなる遊技機用の基板ケースを開封不能に封止する基板ケースの封止構造であって、
カシメ部材と、該カシメ部材が嵌合される嵌合雌部材と、該カシメ部材が該嵌合雌部材に嵌合された場合に該カシメ部材と該嵌合雌部材の間に挟持固定される介装部材と、を備えており、上記嵌合雌部材は上記本体ケース又は上記ケース蓋のうち何れか一方に設けられて、上記介装部材は何れか他方に設けられているものとして、
上記カシメ部材は、頭部と、挿入部と、を有しており、
上記嵌合雌部材は、上記挿入部を挿入するための挿入口と、上記挿入部を収容するべく該挿入口から上記挿入部の挿入方向へ延設された収容部と、を有しており、
上記介装部材は、上記挿入部を挿通させるための挿通孔と、上記基板ケースを開封するために上記ケース蓋又は上記本体ケースから該介装部材を切り離すべく使用する開封用切断部と、を有しており、
上記嵌合雌部材において上記収容部の内部には被係止部が設けられ、上記介装部材において上記挿通孔の周縁には収容凹部が設けられることにより、
上記介装部材が介装された状態で上記カシメ部材が上記嵌合雌部材に嵌合された場合、上記被係止部に上記挿入部が係止されて該挿入部の上記収容部からの抜け出しが規制されており、さらに上記収容凹部に上記カシメ部材の頭部が収容されて該頭部の周縁が上記介装部材によって覆われている
ことを特徴とする基板ケースの封止構造。
【請求項２】
上記嵌合雌部材において上記挿入口の周縁には被係合部が設けられることにより、
上記介装部材が介装された状態で上記カシメ部材が上記嵌合雌部材に嵌合された場合、上記被係合部に上記介装部材が係合されて該嵌合雌部材に対する該介装部材の移動が規制されている
請求項１に記載の基板ケースの封止構造。
【請求項３】
上記本体ケースの収容口の周縁において、該本体ケースの側壁内面には凹条が形成されており、上記ケース蓋は、その側縁部が該凹条に係入されることにより、所定方向にスライド移動して該収容口を閉塞するように構成されている
請求項１又は請求項２に記載の基板ケースの封止構造。
【請求項４】
上記嵌合雌部材は、一面が外部に開放された箱状をなす外殻部材と、該外殻部材の内部に収納される第２のカシメ部材と、によって構成されており、
上記外殻部材は、その内面上に上記被係止部を有しており、
上記第２のカシメ部材は、上記挿入口がその内側に形成された枠部と、該枠部から延設された規制片と、を有しており、
上記外殻部材においてその内面上には第２の被係止部が設けられることにより、
上記第２のカシメ部材が上記外殻部材に収納された場合、上記第２の被係止部に上記規制片の先端部が係止されて上記第２のカシメ部材の上記外殻部材内からの抜け出しが抑制されている
請求項１から請求項３の何れか一項に記載の基板ケースの封止構造。
【請求項５】
上記介装部材が介装された状態で上記カシメ部材が上記嵌合雌部材に嵌合された場合、上記第２のカシメ部材の規制片が上記挿入部に当接して該挿入部と上記被係止部との係止関係の解除を規制している
請求項４に記載の基板ケースの封止構造。
【請求項６】
上記第２のカシメ部材の規制片は、上記挿入部の上記挿入口への挿入方向へ伸びるように配設されるとともに、その長手方向の中間には上記収容部の内側へ向かって突出する突出部が形成されており、
上記カシメ部材の挿入部には、上記突出部と対応する位置に凹部が形成されることにより、
上記介装部材が介装された状態で上記カシメ部材が上記嵌合雌部材に嵌合された場合、上記凹部に上記突出部が係入されて該挿入部の上記収容部からの抜け出しが規制されている
請求項４又は請求項５に記載の基板ケースの封止構造。
【請求項７】
さらに該カシメ部材と該嵌合雌部材を連結するカシメピンと、を備えており、
上記カシメピンは、軸部と、該軸部の各端部にそれぞれ設けられた嵌入頭部及び嵌入端部と、を有しており、
上記カシメ部材において頭部には嵌入孔が設けられ、上記嵌合雌部材において収容部の内奥には被嵌入部が設けられることにより、
上記介装部材が介装された状態で上記カシメ部材が上記嵌合雌部材に嵌合された場合、上記嵌入孔に上記カシメピンの嵌入頭部が嵌入され、上記被嵌入部に上記カシメピンの嵌入端部が嵌入されることによって該カシメ部材の該嵌合雌部材に対する移動が規制されている
請求項１から請求項３の何れか一項に記載の基板ケースの封止構造。
【請求項８】
上記嵌合雌部材は、一面が外部に開放された箱状をなす外殻部材と、該外殻部材の内部に収納される第２のカシメ部材と、によって構成されており、
上記外殻部材は、上記第２のカシメ部材を係止する第２の被係止部を有しており、
上記第２のカシメ部材は、上記被係止部と、上記被嵌入部と、を有しており、
上記第２のカシメ部材には挿通孔が設けられることにより、
上記介装部材が介装された状態で上記カシメ部材が上記嵌合雌部材に嵌合された場合、さらに上記挿通孔に上記カシメピンの軸部が挿通されることによって上記カシメ部材が上記第２のカシメ部材に連結固定されている
請求項７に記載の基板ケースの封止構造。
【請求項９】
上記本体ケース及び上記ケース蓋のうち少なくとも何れか一方には、上記カシメピン及び上記カシメ部材を収容保管する保管スペースが設けられている
請求項７又は請求項８に記載の基板ケースの封止構造。
【発明の詳細な説明】
【技術分野】
【０００１】
本発明は、遊技機を制御する制御基板を収容する基板ケースを封止することで、該制御基板に対する不正行為を抑制するための基板ケースの封止構造に関するものである。
【背景技術】
【０００２】
従来、パチンコ機等のような遊技機には、遊技者の操作に基づく遊技の進行に伴って遊技状態を変化させるべく、該遊技状態を制御する制御基板が搭載されている。この制御基板は、本体ケースとケース蓋とからなる箱状の基板ケースの内部に収容されて遊技機に搭載されている。
一方、近時においては、不正の利益を得る目的で、制御基板に細工を施す、あるいは正規の制御基板を不正規な制御基板に交換する不正行為者の存在が報告されている。そこで、このような不正行為を抑制するべく、遊技機の基板ケースには、種々の方法による封止構造が施されている。
【０００３】
例えば、特許文献１の遊技機は、基板ケースを閉止する固定部材を被覆部材で被覆し、かつ該被覆部材を基板ケースに固着することにより、該固定部材を操作不能としている。特許文献２の遊技機における基板ケースの製造方法では、不正防止手段として第１ケースに設けられた第１封止部と第２ケースに設けられた第２封止部とを封止部材で連結するとともに、該封止部材に弾性を備えさせることにより、該封止部材の弾性変形と弾性復元力を利用している。特許文献３の遊技機の基板ケースユニットでは、第１ケースに設けられた第１連結部と第２ケースに設けられた第２連結部とを連結部材で連結するとともに、該連結部材に破断ねじ又はワンウェイねじを使用している。特許文献４の遊技機用基板ケースでは、特許文献３と略同様の構成において、破断ねじ又はワンウェイねじに代えてスプリングピンを使用している。特許文献５の遊技制御基板アセンブリの封印構造では、特許文献３と略同様の構成において、破断ねじ又はワンウェイねじに代えて封印シールを使用している。特許文献６の遊技機では、封止部の他に爪と受部からなる係合部を設け、封止部を破断しても係合部によって基板ユニットが容易に開封されないようにしている。
【先行技術文献】
【特許文献】
【０００４】
【特許文献１】特開２００７−２０９７０１号公報
【特許文献２】特開２００７−２２８９８８号公報
【特許文献３】特開２００７−２５２８０２号公報
【特許文献４】特開２００７−２６８０６２号公報
【特許文献５】特開２００７−３１２９１７号公報
【特許文献６】特開２００７−３３０４５１号公報
【発明の概要】
【発明が解決しようとする課題】
【０００５】
ところが、上記各特許文献のような封止構造は、上記特許文献１〜５のように構成が簡易なものである場合には、不正行為の痕跡が残らないように再封止を施し、視認のみによる不正行為の判別を不可能としてしまうことにより、回避されてしまう。一方、上記特許文献６のように構成が複雑なものであれば、基板ケースを開封するには封止部分を完全に破壊したうえで開封に複雑な手順が必要になるため不正行為は十分に抑制することができる。しかし、このように構成が複雑なものは、製造コストが高騰するため大量生産に不向きであり、また構成が複雑であるが故に、正規の者がメンテナンス等のために基板ケースを開封及び封止する場合、封止作業及び開封作業が煩雑化してしまうという問題が生じている。
【０００６】
本発明は、このような従来技術に存在する問題点に着目してなされたものである。その目的とするところは、不正行為を十分に抑制することができるとともに、封止作業及び開封作業の簡易化を図ることができる基板ケースの封止構造を提供することにある。
【課題を解決するための手段】
【０００７】
上記の目的を達成するために、請求項１に記載の基板ケースの封止構造の発明は、遊技機の制御基板を収容する本体ケースと、該制御基板を収容するべく該本体ケースに設けられた収容口を閉塞するケース蓋とからなる遊技機用の基板ケースを開封不能に封止する基板ケースの封止構造であって、カシメ部材と、該カシメ部材が嵌合される嵌合雌部材と、該カシメ部材が該嵌合雌部材に嵌合された場合に該カシメ部材と該嵌合雌部材の間に挟持固定される介装部材と、を備えており、上記嵌合雌部材は上記本体ケース又は上記ケース蓋のうち何れか一方に設けられて、上記介装部材は何れか他方に設けられているものとして、上記カシメ部材は、頭部と、挿入部と、を有しており、上記嵌合雌部材は、上記挿入部を挿入するための挿入口と、上記挿入部を収容するべく該挿入口から上記挿入部の挿入方向へ延設された収容部と、を有しており、上記介装部材は、上記挿入部を挿通させるための挿通孔と、上記基板ケースを開封するために上記ケース蓋又は上記本体ケースから該介装部材を切り離すべく使用する開封用切断部と、を有しており、上記嵌合雌部材において上記収容部の内部には被係止部が設けられ、上記介装部材において上記挿通孔の周縁には収容凹部が設けられることにより、上記介装部材が介装された状態で上記カシメ部材が上記嵌合雌部材に嵌合された場合、上記被係止部に上記挿入部が係止されて該挿入部の上記収容部からの抜け出しが規制されており、さらに上記収容凹部に上記カシメ部材の頭部が収容されて該頭部の周縁が上記介装部材によって覆われていることを要旨とする。
【０００８】
上記構成によると、基板ケースの封止構造は、カシメ部材と嵌合雌部材を、それらの間に介装部材を介装したうえで、嵌合してなる。この封止構造において、嵌合雌部材に嵌合されたカシメ部材は、その挿入部が嵌合雌部材の収容部に設けられた被係止部に係止されているため、収容部からの抜け出しを規制されている。このため、挿入部と被係止部との係止関係を解除しない限り、嵌合雌部材からカシメ部材を脱着することはできず、基板ケースを開放することができない。
一方、嵌合雌部材に嵌合されたカシメ部材は、その頭部の周縁が介装部材によって覆われており、また介装部材は、カシメ部材と嵌合雌部材との間に挟持されている。このため、カシメ部材の頭部と嵌合雌部材の挿入口の周縁との間の隙間は、介装部材によって塞がれており、該隙間から何等かの道具を差し込む等して挿入部を操作し、被係止部との係止関係を解除することはできない。従って、基板ケースの封止構造は、挿入部と被係止部との係止関係を解除しない限り嵌合雌部材からカシメ部材を脱着することはできず、また該挿入部を外部から操作して被係止部との係止関係を解除することができないようになっているため、不正行為を十分に抑制することができる。
さらに本発明の基板ケースの封止構造において、封止作業は、介装部材が介装された状態でカシメ部材を嵌合雌部材に嵌合することによって行われるようになっており、該封止作業が簡易化されている。加えて、開封作業は、介装部材に設けられた開封用切断部を切断して該介装部材をケース蓋又は本体ケースから切り離すことによって行われるようになっており、該開封作業が簡易化されている。
上記したように本発明の基板ケースの封止構造は、通常の手段で嵌合雌部材からカシメ部材を脱着することができず、保守、点検、修理などの目的で基板ケースを開封する場合には開封用切断部を切断する必要がある。従って、該開封用切断部は、それが切断されているか否かを確認することにより、基板ケースが開封された否かを判別するための手段としても利用される。また開封用切断部を切断せずに基板ケースを開封するには、嵌合雌部材あるいはカシメ部材を破壊する必要があり、このような嵌合雌部材あるいはカシメ部材の破壊は簡易に確認することが出来るため、開封用切断部の切断以外の不正な方法による基板ケースの開封は、容易に判別することが出来る。
【０００９】
請求項２に記載の発明は、請求項１に記載の基板ケースの封止構造の発明において、上記嵌合雌部材において上記挿入口の周縁には被係合部が設けられることにより、上記介装部材が介装された状態で上記カシメ部材が上記嵌合雌部材に嵌合された場合、上記被係合部に上記介装部材が係合されて該嵌合雌部材に対する該介装部材の移動が規制されていることを要旨とする。
上記構成によれば、挿入部を外部から操作するための隙間を、介装部材を無理に動かす等して形成することが出来なくなっており、不正行為を好適に抑制することができる。
【００１０】
請求項３に記載の発明は、請求項１又は請求項２に記載の基板ケースの封止構造の発明において、上記本体ケースの収容口の周縁において、該本体ケースの側壁内面には凹条が形成されており、上記ケース蓋は、その側縁部が該凹条に係入されることにより、所定方向にスライド移動して該収容口を閉塞するように構成されていることを要旨とする。
上記構成によれば、本体ケースに対してケース蓋を所定方向にスライド移動可能とすることにより、該ケース蓋に設けられた介装部材又は嵌合雌部材もまた所定方向のみにしか動かすことができない。このため、介装部材又は嵌合雌部材がケース蓋のスライド方向以外にも動くことが可能なものに比べ、不正行為を好適に抑制することができる。
【００１１】
請求項４に記載の発明は、請求項１から請求項３の何れか一項に記載の基板ケースの封止構造の発明において、上記嵌合雌部材は、一面が外部に開放された箱状をなす外殻部材と、該外殻部材の内部に収納される第２のカシメ部材と、によって構成されており、上記外殻部材は、その内面上に上記被係止部を有しており、上記第２のカシメ部材は、上記挿入口がその内側に形成された枠部と、該枠部から延設された規制片と、を有しており、上記外殻部材においてその内面上には第２の被係止部が設けられることにより、上記第２のカシメ部材が上記外殻部材に収納された場合、上記第２の被係止部に上記規制片の先端部が係止されて上記第２のカシメ部材の上記外殻部材内からの抜け出しが抑制されていることを要旨とする。
上記構成によれば、嵌合雌部材として、第２のカシメ部材と外殻部材とを設け、この外殻部材で第２のカシメ部材を覆う構成としたことにより、第２のカシメ部材を操作する等してカシメ部材と嵌合雌部材との嵌合が解除されることを抑制することができる。
【００１２】
請求項５に記載の発明は、請求項４に記載の基板ケースの封止構造の発明において、上記介装部材が介装された状態で上記カシメ部材が上記嵌合雌部材に嵌合された場合、上記第２のカシメ部材の規制片が上記挿入部に当接して該挿入部と上記被係止部との係止関係の解除を規制していることを要旨とする。
上記構成によれば、第２のカシメ部材の規制片がカシメ部材の挿入部に当接して該挿入部と嵌合雌部材の被係止部との係止関係の解除を規制しているため、挿入部と被係止部との係止関係を好適に保持することができる。
【００１３】
請求項６に記載の発明は、請求項４又は請求項５に記載の基板ケースの封止構造の発明において、上記第２のカシメ部材の規制片は、上記挿入部の上記挿入口への挿入方向へ伸びるように配設されるとともに、その長手方向の中間には上記収容部の内側へ向かって突出する突出部が形成されており、上記カシメ部材の挿入部には、上記突出部と対応する位置に凹部が形成されることにより、上記介装部材が介装された状態で上記カシメ部材が上記嵌合雌部材に嵌合された場合、上記凹部に上記突出部が係入されて該挿入部の上記収容部からの抜け出しが規制されていることを要旨とする。
上記構成によれば、挿入部と被係止部との係止関係のみならず、さらに該挿入部と第２のカシメ部材の規制片との係合関係によって嵌合雌部材に対するカシメ部材の嵌合解除を防止することができるため、不正行為を効果的に抑制することができる。
【００１４】
請求項７に記載の発明は、請求項１から請求項３の何れか一項に記載の基板ケースの封止構造の発明において、さらに該カシメ部材と該嵌合雌部材を連結するカシメピンと、を備えており、上記カシメピンは、軸部と、該軸部の各端部にそれぞれ設けられた嵌入頭部及び嵌入端部と、を有しており、上記カシメ部において頭部には嵌入孔が設けられ、上記嵌合雌部材において収容部の内奥には被嵌入部が設けられることにより、上記介装部材が介装された状態で上記カシメ部材が上記嵌合雌部材に嵌合された場合、上記嵌入孔に上記カシメピンの嵌入頭部が嵌入され、上記被嵌入部に上記カシメピンの嵌入端部が嵌入されることによって該カシメ部材の該嵌合雌部材に対する移動が規制されていることを要旨とする。
上記構成によれば、カシメピンでカシメ部材と嵌合雌部材を連結することにより、嵌合雌部材に対してカシメ部材を動かすことが難しくなるため、嵌合雌部材に対するカシメ部材の嵌合解除を好適に抑制することができる。
【００１５】
請求項８に記載の発明は、請求項７に記載の基板ケースの封止構造の発明において、上記嵌合雌部材は、一面が外部に開放された箱状をなす外殻部材と、該外殻部材の内部に収納される第２のカシメ部材と、によって構成されており、上記外殻部材は、上記第２のカシメ部材を係止する第２の被係止部を有しており、上記第２のカシメ部材は、上記被係止部と、上記被嵌入部と、を有しており、上記第２のカシメ部材には挿通孔が設けられることにより、上記介装部材が介装された状態で上記カシメ部材が上記嵌合雌部材に嵌合された場合、さらに上記挿通孔に上記カシメピンの軸部が挿通されることによって上記カシメ部材が上記第２のカシメ部材に連結固定されていることを要旨とする。
上記構成によれば、カシメピンの嵌入端部は第２のカシメ部材に嵌合されており、また第２のカシメ部材は外殻部材によって外部から覆われているため、第２のカシメ部材を操作してカシメピンを取り外すことが難しく、嵌合雌部材に対するカシメ部材の嵌合関係を好適に保持することができる。
【００１６】
請求項９に記載の発明は、請求項７又は請求項８に記載の基板ケースの封止構造の発明において、上記本体ケース及び上記ケース蓋のうち少なくとも何れか一方には、上記カシメピン及び上記カシメ部材を収容保管する保管スペースが設けられていることを要旨とする。
上記構成によれば、多種多様な部品を取り付けることによって狭小となりがちな遊技機の内部スペースにカシメピン及びカシメ部材の保管スペースを新たに設ける必要が無く、スペース効率の向上を図ることが出来ると共に、カシメピンあるいはカシメ部材の紛失を防止することができる。
【発明の効果】
【００１７】
本発明によれば、不正行為を十分に抑制することができるとともに、封止作業及び開封作業の簡易化を図ることができる基板ケースの封止構造を提供することができる。
【図面の簡単な説明】
【００１８】
【図１】遊技機を示す概略図。
【図２】第１実施形態の基板ケースを示す平面図。
【図３】第１実施形態の封止構造を示す分解斜視図。
【図４】（ａ）〜（ｅ）は第１実施形態の外殻部材を示す斜視図、平面図、側面図、側断面図、正断面図。
【図５】（ａ）〜（ｄ）は第１実施形態の第２カシメ部材を示す斜視図、平面図、側断面図、背断面図。
【図６】（ａ）〜（ｃ）は第１実施形態の介装部材の一部を示す斜視図、平面図、側断面図。
【図７】（ａ）〜（ｅ）は第１実施形態のカシメ部材を示す斜視図、底面図、側面図、正断面図、側断面図。
【図８】（ａ）〜（ｃ）は第１実施形態において外殻部材に第２カシメ部材を装着した状態を示す部分破断斜視図、側断面図、正断面図。
【図９】（ａ）〜（ｃ）は第１実施形態において嵌合雌部材に介装部材を装着した状態を示す部分破断斜視図、側断面図、正断面図。
【図１０】（ａ）〜（ｄ）は第１実施形態においてカシメ部材を装着した状態を示す部分破断斜視図、部分破断斜視図、側断面図、正断面図。
【図１１】（ａ）〜（ｆ）は第２実施形態の外殻部材及びベース盤を示す正面図、平面図、側断面図、側面図、背面図、底面図。
【図１２】（ａ）〜（ｆ）は第２実施形態の介装部材を示す正面図、平面図、側断面図、側面図、背面図、底面図。
【図１３】（ａ）〜（ｃ）は第２実施形態の第２カシメ部材を示す正面図、平面図、側断面図、側面図。
【図１４】（ａ）〜（ｆ）は第２実施形態のカシメ部材を示す正面図、平面図、側断面図、側面図、背面図、底面図。
【図１５】（ａ），（ｂ）は第２実施形態の嵌合雌部材を示す平面図、部分断面図、（ｃ）は第２実施形態のカシメピンを示す正面図。
【図１６】（ａ），（ｂ）は第２実施形態のベースプレートを示す平面図、側面図、（ｃ）はベースプレートを介装部材に装着する状態を示す側断面図，（ｄ）はベースプレートを介装部材に装着した状態を示す側断面図。
【図１７】（ａ）〜（ｃ）は第２実施形態の嵌合雌部材に介装部材を装着する状態を示す平面図、背面図、側断面図、（ｄ）は第２実施形態の嵌合雌部材に介装部材を装着した状態を示す正断面図。
【図１８】（ａ）〜（ｃ）は第２実施形態のカシメ部材を装着する状態を示す平面図、側断面図、正断面図。
【図１９】（ａ），（ｂ）は第２実施形態のカシメピンを装着する状態を示す平面図、正断面図、（ｃ）は第２実施形態のカシメピンを装着した状態を示す側断面図。
【発明を実施するための形態】
【００１９】
（第１実施形態）
以下、本発明を具体化した第１実施形態について、図１〜図１０に基づいて説明する。
まず遊技機の概略構成について説明する。なお、遊技機とは、パチンコ機、パチスロ機、スロット機等であり、遊技場において島設備と総称される玉供給装置、コイン供給装置等に組み込まれて設置されたものである。
図１に示すように、遊技機１０は、外枠１１と、該外枠１１の内側に組み付けられた中枠１２とを備えている。外枠１１は、前記島設備（図示略）に固定されている。中枠１２は、該外枠１１に対し、着脱可能かつ開閉可能に組み付けられている。該中枠１２の内側には、遊技盤１３が組み付けられている。また中枠１２には、遊技機の操作等に係る球皿１４、ハンドル１５が組み付けられている。該中枠１２は、第三者によって不用意に開閉されることがないようにするため、施錠装置１６によって外枠１１に対して施錠固定されている。
上記遊技盤１３は、遊技を行うための主要な部品であり、流行に合わせる、新機種の導入を容易にする、遊技場内における機種移動を簡易に行う等の理由で該遊技盤１３のみを交換可能とするため、中枠１２に対して着脱自在に構成されている。該遊技盤１３の前面には、盤面部品として、遊技状態を知らしめる、あるいは遊技を興味深いものにするための液晶パネル（図示略）、チューリップ（図示略）などが取り付けられている。該遊技盤１３の後面には、遊技状態を制御する制御ユニットとして基板ケース１７が取り付けられている。
【００２０】
図２に示すように、上記基板ケース１７は、本体ケース２１と、ケース蓋２２とからなる。本体ケース２１は、一面が開放された箱状に形成されており、その開放された一面が収容口２１ａとされている。該本体ケース２１の内部には、該収容口２１ａから遊技機を制御するための制御基板が収容されている（図示略）。また該本体ケース２１の収容口２１ａの周縁における側壁内面には、凹条が形成されている（図示略）。
ケース蓋２２は、板状に形成されている。該ケース蓋２２は、その側縁部が上記本体ケース２１の凹条に係入されることにより、本体ケース２１に対して所定方向（図２中で上方向）にスライド移動して該収容口２１ａを閉塞するように構成されている。そして、ケース蓋２２が本体ケース２１に対してスライド移動する方向で基板ケース１７の先端縁（図２中で上側縁）には、封止構造２３が設けられており、該封止構造２３によって基板ケース１７が開封不能に封止されている。
【００２１】
封止構造２３について説明する。
図３に示すように、封止構造２３は、カシメ部材３１と、該カシメ部材３１が嵌合される嵌合雌部材３２と、該カシメ部材３１が該嵌合雌部材３２に嵌合された場合に該カシメ部材３１と該嵌合雌部材３２の間に挟持固定される介装部材３３と、を備えている。これらのうち、嵌合雌部材３２は、上記本体ケース２１に設けられており、介装部材３３は、ケース蓋２２に設けられている。また嵌合雌部材３２は、複数（本実施形態では３つ）の外殻部材３４と、これら該外殻部材３４の内部に収納される第２カシメ部材３５と、によって構成されている。
【００２２】
図４（ａ）〜（ｅ）に示すように、上記外殻部材３４は、底壁３４ａと、該底壁の側縁から立設された一対の側壁３４ｂと、上記本体ケース２１の周壁と一体となった後壁３４ｃと、該後壁３４ｃと対向する前壁３４ｄとにより、一面（図４（ａ）中で上面）が開口された箱状に形成されている。該外殻部材３４の内部は、収容部４２とされている。また複数の外殻部材３４は、側壁３４ｂ外面の連繋壁４１を介して互いに繋がっている。
外殻部材３４の後壁３４ｃの内面上には、第１被係止部４３が突設されている。外殻部材３４の側壁３４ｂの内面上で下縁部には、第２被係止部４４が凹設されている。
外殻部材３４の上端縁において、一対の側壁３４ｂ及び前壁３４ｄの上端には、薄肉状の枠壁４５が突設されており、該枠壁の内側は、上記介装部材３３が係合される第１被係合部４５ａとされている。さらに該枠壁４５が前壁３４ｄの上部で一旦前方へ延出されてから上方へ突設されることにより、該第１被係合部４５ａの下方には第２被係合部４５ｂが形成されている。また一対の側壁３４ｂの上部において、該枠壁４５には、上記カシメ部材３１の一部が係合される係合段部４５ｃが形成されている。該枠壁４５は後壁３４ｃの上端には設けられておらず、該後壁３４ｃの上端に設けられた空間は、上記ケース蓋２２のスライド移動に伴って上記介装部材３３が第１被係合部４５ａに入り込むための進入口とされている。
外殻部材３４において、側壁３４ｂの内面上には、該側壁３４ｂの内面上に凸条を形成し、さらに前壁３４ｄを厚肉とすることにより、該側壁３４ｂの内面上で外殻部材３４の開口から第２被係止部４４に達する第１ガイド凹部４６ａと、後壁３４ｃ及び側壁３４ｂの内面上で外殻部材３４の開口から底部に達する第２ガイド凹部４６ｂが形成されている。これら第１ガイド凹部４６ａ及び第２ガイド凹部４６ｂは、上記第２カシメ部材３５の収容部４２への挿入を案内するために設けられたものである。
【００２３】
図５（ａ）〜（ｄ）に示すように、上記第２カシメ部材３５は、四角枠状の枠部４７を有しており、該枠部４７の内側は、上記カシメ部材３１が挿入される挿入口４８とされている。また該枠部４７は、上記外殻部材３４の第２被係合部４５ｂに嵌り込むように、そのサイズ（縦長×横長）が設定されている。
該枠部４７の外周縁の一部からは、ガイド壁４７ａが所定方向（図５（ａ）中で下方）に突設されている。このガイド壁４７ａは、第２カシメ部材３５を外殻部材３４の収容部４２へ挿入する際、上記外殻部材３４の第２ガイド凹部４６ｂと係合することで、該第２カシメ部材３５の挿入を案内するものである。またガイド壁４７ａには、上記第１被係止部４３が係合される係合スリット４７ｂが切欠き形成されている。
なお、上記外殻部材３４の前壁３４ｄの内面には該ガイド壁４７ａと対応するガイド凹部が形成されていないため、該ガイド壁４７ａを前壁３４ｄ側に向けて第２カシメ部材３５を外殻部材３４へ挿入することはできない。従って、該ガイド壁４７ａは、第２カシメ部材３５の外殻部材３４に対する位置決めと方向決めを行っている。
枠部４７において、挿入口４８の内周面で両側部にはそれぞれ長板状の規制片４９が所定方向（図５（ａ）中で下方）に延設されている。該規制片４９は、枠部４７に対して前側（図５（ｂ）中で上方）に片寄って配置されている。
該規制片４９の中間部には、円弧状の突出部４９ａが設けられている。該突出部４９ａは、該第２カシメ部材３５が上記外殻部材３４に装着された状態で、収容部４２の内側へ向かって突出するように形成されている。また規制片４９は、該突出部４９ａが湾曲することでバネ性を発揮するように構成されている。該規制片４９の先端部で外面には、第１係止爪４９ｂが突設されている。また該突出部４９ａの内面には、第２係止爪４９ｃが突設されている。
【００２４】
図６（ａ）〜（ｃ）に示すように、上記介装部材３３は、略中央部分に挿通孔５１が透設された複数（本実施形態では３つ）の枠体３３ａを繋げて構成されている。枠体３３ａの上面側部には、一対の第１開封用切断部５２が設けられている。該第１開封用切断部５２は、枠体３３ａ同士を横方向に繋げるものであり、該介装部材３３を上記外殻部材３４に装着した場合に該外殻部材３４の側壁３４ｂ上縁で枠壁４５を跨ぐことができるように、逆Ｕ字状に形成されている。該枠体３３ａの後面には、一対の第２開封用切断部５３が突設されている。該第２開封用切断部５３は、枠体３３ａをケース蓋２２に繋げるものであり、角柱状に形成されている。そして、枠体３３ａは、第１開封用切断部５２及び第２開封用切断部５３を切断することにより、他の枠体３３ａ及び上記ケース蓋２２から切り離すことができるように構成されている。
該枠体３３ａの前縁部と後縁部は厚肉とされており、これによって該介装部材３３における挿通孔５１の周縁には、上記カシメ部材３１の一部が収容される収容凹部５４が設けられている。該挿通孔５１の内周面側部には、位置決め用突部５５が突設されている。該位置決め用突部５５は、該挿通孔５１に対して上記カシメ部材３１の位置決めと方向決めとを行うものであり、上記第２カシメ部材３５に設けられた上記規制片４９と対応する位置となるように配置されている。
【００２５】
図７（ａ）〜（ｅ）に示すように、上記カシメ部材３１は、頭部５７と、第１挿入部５８ａと、第２挿入部５８ｂとを有している。該頭部５７は、平面視で十字形状に形成されている。該頭部５７は、全体が上記介装部材３３の収容凹部５４に収容され、さらに両側部が上記外殻部材３４の係合段部４５ｃに係合されるように構成されている。
該第１挿入部５８ａは、該頭部５７の下面で中央よりも後方寄りの位置から板状に突設されている。該第１挿入部５８ａの外面には、上記外殻部材３４の第１被係止部４３が係止される係止凹溝５９が形成されている。
該第２挿入部５８ｂは、該頭部５７の下面で前方寄りの位置から角柱状に突設されている。該挿入部５８ｂの側面には、上記第２カシメ部材３５の規制片４９と係合されるガイド溝６０が凹設されている。該ガイド溝６０の内側で上記規制片４９の突出部４９ａと対応する部位には、凹部６０ａが凹設されている。該凹部６０ａの内側において、上記突出部４９ａの内面に設けられた第２係止爪４９ｃと対応する部位には、係止凹部６０ｂが凹設されている。
【００２６】
上記基板ケース１７の封止作業について説明する。
基板ケース１７の封止作業を行う際には、作業前に予め、あるいは作業の最初に、外殻部材３４に第２カシメ部材３５を装着して嵌合雌部材３２を組み立てておく。
外殻部材３４に第２カシメ部材３５を装着するには、該第２カシメ部材３５を該外殻部材３４の開口から収容部４２へ向かって押し入れる。図８（ａ）〜（ｃ）に示すように、収容部４２へ押し入れられた第２カシメ部材３５は、外殻部材３４に対し、規制片４９の第１係止爪４９ｂが第２被係止部４４に係止され、さら枠部４７が第２被係止部４４の内側に嵌り込むことにより、収容部４２からの抜け出しと、外殻部材３４に対する移動を抑制される。
なお、嵌合雌部材３２においては、必ずしも全ての外殻部材３４に第２カシメ部材３５を装着しておく必要はなく、基板ケース１７の封止に使用する外殻部材３４のみに第２カシメ部材３５を装着してもよい。すなわち、３つの外殻部材３４のうち、１つのみを封止に使用するのであれば、１つの外殻部材３４にのみ第２カシメ部材３５を装着してもよい。また外殻部材３４に第２カシメ部材３５のみを装着した状態であれば、第２被係止部４４に対する第１係止爪４９ｂの係止を解除したうえで、第２カシメ部材３５を上方へ引っ張ることにより、外殻部材３４から第２カシメ部材３５を取り外すことができる。このため、全ての外殻部材３４に第２カシメ部材３５を一旦装着し、その後、封止に使用する外殻部材３４を除く他の外殻部材３４から第２カシメ部材３５を取り外してもよい。
【００２７】
封止作業においては、上記のように嵌合雌部材３２が組み立てられた状態で、本体ケース２１に対してケース蓋２２がスライド移動されて、該ケース蓋２２により本体ケース２１の収容口２１ａが閉塞される。この際、ケース蓋２２のスライド移動に伴い、介装部材３３は嵌合雌部材３２に対してスライド移動する。そして、図９（ａ）〜（ｃ）に示すように、枠体３３ａが外殻部材３４の第１被係合部４５ａに進入して係合され、枠体３３ａの挿通孔５１が枠部４７の挿入口４８と重なる。次いで、カシメ部材３１が、挿通孔５１及び挿入口４８から収容部４２へ向かって嵌入され、封止作業が完了する。
【００２８】
図１０（ａ）〜（ｄ）に示すように、収容部４２へ嵌入されたカシメ部材３１は、第１挿入部５８ａの係止凹溝５９を外殻部材３４の第１被係止部４３に係止させるとともに、第２挿入部５８ｂの係止凹部６０ｂを第２カシメ部材３５の規制片４９の第２係止爪４９ｃに係止させている。これら係止凹溝５９と第１被係止部４３の係合関係及び係止凹部６０ｂと第２係止爪４９ｃの係合関係により、カシメ部材３１は、第１挿入部５８ａ及び第２挿入部５８ｂが収容部４２から抜け出すことを規制されている。
またカシメ部材３１は、介装部材３３を構成する枠体３３ａの挿通孔５１に、第１挿入部５８ａ及び第２挿入部５８ｂを挿通させている。このため、ケース蓋２２をスライド移動させようとしても、枠体３３ａが第１挿入部５８ａ又は第２挿入部５８ｂに接触してしまうことで移動できず、ケース蓋２２が開閉不能となる。
またカシメ部材３１の頭部５７は、介装部材３３の収容凹部５４に収容されることにより、挿通孔５１及び挿入口４８を外部から覆うことで、収容部４２への異物の侵入を防止している。このため、道具等を挿通孔５１及び挿入口４８から収容部４２へ侵入させることができない。
またカシメ部材３１の第２挿入部５８ｂにおいて、ガイド溝６０には、第２カシメ部材３５の規制片４９が当接しており、第２カシメ部材３５及び該第２カシメ部材３５が装着された外殻部材３４に対して第２挿入部５８ｂが移動不能となるため、第１挿入部５８ａの係止凹溝５９と第１被係止部４３との係止関係の解除が規制されている。
またカシメ部材３１の第２挿入部５８ｂにおいて、凹部６０ａには、第２カシメ部材３５の規制片４９の突出部４９ａが係入されている。これにより、規制片４９を弾性変形させて第１係止爪４９ｂの第２被係止部４４への係合を解除することができなくなり、凹部６０ａと突出部４９ａとの係合関係が維持されるため、該第２挿入部５８ｂの上記収容部４２からの抜け出しが規制されている。
【００２９】
上記のように基板ケース１７の封止作業は、ケース蓋２２を閉めて、カシメ部材３１を装着するのみで完了する。封止作業の完了後は、カシメ部材３１を取り外すことができず、ケース蓋２２を開閉することができなくなるため、基板ケース１７が確実に封止される。封止された基板ケース１７を開封するには、各一対の第１開封用切断部５２及び第２開封用切断部５３を全て切断して介装部材３３から枠体３３ａを切り離す必要がある。この場合には第１開封用切断部５２及び第２開封用切断部５３を切断した痕跡が残り、また他者の目に留まらずに短時間で合計４つの開封用切断部を切断することは不可能である。従って、本実施形態の封止構造は、封止作業が簡易でありながら、不正行為を確実に防止することができる。
【００３０】
（第２実施形態）
以下、本発明を具体化した第２実施形態について、図１１〜図１９に基づいて説明する。なお、この第２実施形態では、上記第１実施形態と異なる点を中心に説明する。
第２実施形態の封止構造２３は、カシメ部材７１と、該カシメ部材７１が嵌合される嵌合雌部材７２と、該カシメ部材７１が該嵌合雌部材７２に嵌合された場合に該カシメ部材７１と該嵌合雌部材７２の間に挟持固定される介装部材７３と、さらに該カシメ部材７１と該嵌合雌部材７２を連結するカシメピン７４と、を備えている。これらのうち、嵌合雌部材７２は、上記本体ケース２１に設けられており、介装部材７３は、ケース蓋２２に設けられている。また嵌合雌部材７２は、複数（本実施形態では３つ）の外殻部材７５ａを有するベース部材７５と、各外殻部材７５ａの内部に収納される第２カシメ部材７６と、を有している。
【００３１】
図１１（ａ）〜（ｆ）に示すように、上記ベース部材７５は、上記本体ケース２１の周壁から突出して形成されたベース盤８１と、該ベース盤８１の前面に突設された複数の外殻部材７５ａと、によって構成されている。
ベース盤８１は、浅皿状に形成され、その上端にはガイド凹条８１ａが設けられている。ベース盤８１の一側部において、外面には、上記カシメピン７４を収容保管するためのピン保管スペース８２ａが設けられている。該ピン保管スペース８２ａは、矩形状をなし、その上面には、上記カシメピン７４を挿入するための穴が凹設されている。
外殻部材７５ａは、底壁と、該底壁の側縁から立設された一対の側壁と、前壁と、を有し、その後部がベース盤８１の周壁によって塞がれることにより、一面（図１１（ｂ）中で上面）が開口された箱状に形成されている。該外殻部材７５ａの内部は、収容部８３とされている。また複数の外殻部材７５ａは、ベース盤８１を介して互いに繋がっている。
外殻部材７５ａの上端縁において、一対の側壁及び前壁の上端は、ベース盤８１の上面よりも高くなるように設定されており、これら側壁及び前壁に囲まれた内側は、上記介装部材７３が係合される被係合部８４とされている。さらに外殻部材７５ａの前壁は、該外殻部材７５ａの側壁よりも高くなるように設定されており、該外殻部材７５ａに上記介装部材７３が装着された状態で、該介装部材７３の前面を外部から覆うように構成されている。
外殻部材７５ａの側壁の内面で下部には、上記第２カシメ部材７６を係止するための第２被係止部８５ｂが突設されている。
【００３２】
図１３（ａ）〜（ｄ）に示すように、第２カシメ部材７６は、台座８６と、該台座８６の上面に立設された第１被係止部８５ａと、該台座８６の上面に立設されたガイド筒部８７と、を有している。
台座８６は、四角板部と、該四角板部の下面の両側縁に突設された脚部とを有している。該台座８６の四角板部の下面において、ガイド筒部８７と対応する位置には、円環状をなす被嵌入部８７ａが突設されている。また台座８６の上面で両側縁には、上記外殻部材７５ａの第２被係止部８５ｂに係合される係止溝８６ａが形成されている。
第１被係止部８５ａは、両側面に複数の凹部が形成された板状に形成されている。外殻部材７５ａの収容部８３に対して上記カシメ部材７１が挿入される方向を下方とし、該外殻部材７５ａの収容部８３から上記カシメ部材７１が抜け出す方向を上方として、該第１被係止部８５ａの凹部は、上側が水平面、下側が斜面とされ、下側（挿入方向）への摺接に対しては逃がしとなり、上側（抜出方向）への摺接に対しては返しとなる形状とされている。
ガイド筒部８７は、円筒状に形成されるとともに、周壁が第１被係止部８５ａの一端縁と繋がっている。該ガイド筒部８７の内側は、上記カシメピン７４を挿通するための挿通孔として、第１ピン挿通孔８７ｂとされており、また該第１ピン挿通孔８７ｂは、前記被嵌入部８７ａの内側と連通している。
【００３３】
図１２（ａ）〜（ｆ）に示すように、介装部材７３は、上記ケース蓋２２の周縁から突出して形成された保管ケース８２ｂと、該保管ケース８２ｂの前面に突設された複数（本実施形態では３つ）の枠体７３ａと、を有している。枠体７３ａの内側は挿通孔９１とされている。枠体７３ａの側部には、第１開封用切断部９２が設けられている。該第１開封用切断部９２は、枠体７３ａ同士を横方向に繋げるものであり、長板状に形成されている。該枠体７３ａの後面には、一対の第２開封用切断部９３が突設されている。該第２開封用切断部９３は、枠体７３ａを保管ケース８２ｂに繋げるものであり、角柱状に形成されている。そして、枠体７３ａは、第１開封用切断部９２及び第２開封用切断部９３を切断することにより、他の枠体７３ａ及び保管ケース８２ｂから切り離すことができるように構成されている。
保管ケース８２ｂは、下面が開口された箱状をなし、その内側は上記カシメ部材７１を収容保管する保管スペースとされている。保管ケース８２ｂの周縁には、上記ベース盤８１のガイド凹条８１ａに係入されるガイド凸条８２ｃが突設されている。また保管ケース８２ｂの一側部において、外面には、カバー壁８２ｄが突設されている。該カバー壁８２ｄは、上記ピン保管スペース８２ａにカシメピン７４が収容保管されている場合、カシメピン７４の一端に当接することで、該カシメピン７４がピン保管スペース８２ａから脱落することを防止している（図１７（ｂ）参照）。
枠体７３ａは、その周縁部が厚肉とされており、これによって該介装部材３３における挿通孔９１の周縁には、上記カシメ部材７１の一部が収容される収容凹部９４が設けられている。枠体７３ａの内側には、該挿通孔９１を区分するように桟９４ａが架設されている。該桟９４ａの後端部は筒状とされており、該後端部の内側は、上記カシメピン７４を挿通するための挿通孔として、第２ピン挿通孔９４ｂとされている。
【００３４】
図１４（ａ）〜（ｆ）に示すように、上記カシメ部材７１は、頭部９７と、一対の挿入部９８と、を有している。該頭部９７は、板状に形成されており、全体が上記介装部材７３の収容凹部９４に収容されるように構成されている。該頭部９７の上面には、筒体が突設されており、該筒体の内側は、嵌入孔９４ｃとされている。
挿入部９８は、頭部９７の下面から板状に突設されている。該挿入部９８の後端部は、後方へ向かうに従い薄肉となる先鋭状に形成されている。また上記介装部材７３の挿通孔９１は、該挿入部９８と対応する形状とされることで、介装部材７３へのカシメ部材７１の挿入における位置決めと方向決めが為されている。
該挿入部９８の内面には、上記第２カシメ部材７６の第１被係止部８５ａに係止される第１係止突部９８ａが形成されている。外殻部材７５ａの収容部８３に対して上記カシメ部材７１が挿入される方向を下方とし、該外殻部材７５ａの収容部８３から上記カシメ部材７１が抜け出す方向を上方として、該第１係止突部９８ａは、上記第１被係止部８５ａの凹部の形状に対応して、上側が水平面、下側が斜面とされ、下側（挿入方向）への摺接に対しては逃がしとなり、上側（抜出方向）への摺接に対しては返しとなる形状とされている。
該挿入部９８の外面には、上記介装部材７３の挿通孔９１の周縁に係止される第２係止突部９８ｂが形成されている。外殻部材７５ａの収容部８３に対して上記カシメ部材７１が挿入される方向を下方とし、該外殻部材７５ａの収容部８３から上記カシメ部材７１が抜け出す方向を上方として、該第２係止突部９８ｂは、上側が水平面、下側が斜面とされ、下側（挿入方向）への摺接に対しては逃がしとなり、上側（抜出方向）への摺接に対しては返しとなる形状とされている。
【００３５】
上記嵌合雌部材７２の組み立てについて説明する。
図１５（ａ），（ｂ）に示すように、嵌合雌部材７２の組み立ては、外殻部材７５ａの開口から収容部８３へ向かって、第２カシメ部材７６を押し入れ、さらにカシメピン７４をピン保管スペース８２ａの穴に挿入することで行われる。収容部８３へ押し入れられた第２カシメ部材７６は、台座８６の係止溝８６ａが、外殻部材７５ａの第２被係止部８５ｂに係合されることにより、収容部８３からの抜け出しを抑制される。また第２カシメ部材７６の台座８６は、そのサイズ（縦長×横長）が収容部８３のサイズ（縦長×横長）と略同一に設定されることで、外殻部材３４に対する移動を規制される。
ここで、図１５（ｃ）に示すように、カシメピン７４は、軸部７４ａと、該軸部７４ａの上端部に設けられた嵌入頭部７４ｂと、該軸部７４ａの下端部に設けられた嵌入端部７４ｃと、を有している。該嵌入頭部７４ｂは、軸部７４ａに比べて太径とされている。該嵌入端部７４ｃは矢じり状とされ、軸部７４ａとの間に溝部を有している。そして、該カシメピン７４は、嵌入端部７４ｃがピン保管スペース８２ａの穴に挿入されて、嵌合雌部材７２に装填されるようになっている。
【００３６】
上記介装部材７３の組み立てについて説明する。
介装部材７３の組み立ては、カシメ部材７１を保管ケース８２ｂに収容することで行われる。
図１６（ａ），（ｂ）に示すように、カシメ部材７１を保管ケース８２ｂに収容するためのベースプレート９９は、前端縁部と後端縁部が上方に折り曲げられた横長板状に形成され、その上面には、上記カシメ部材７１を装着するための装着凸部９９ａが突設されている。またベースプレート９９の隅角部には、該ベースプレート９９を保管ケース８２ｂに固定するための固定ピン９９ｂが取り付けられている。
図１６（ｃ），（ｄ）に示すように、ベースプレート９９は、装着凸部９９ａにカシメ部材７１が装着された状態で、該カシメ部材７１が保管ケース８２ｂの内部に収容されるように、該保管ケース８２ｂの下方から装着される。そして、固定ピン９９ｂを押し込むことで、ベースプレート９９が保管ケース８２ｂに固定され、介装部材７３が組み立てられる。
【００３７】
上記基板ケース１７の封止作業について説明する。
封止作業においては、上記のように嵌合雌部材３２が組み立てられた状態の本体ケース２１に対して、介装部材７３が組み立てられた状態のケース蓋２２をスライド移動させ、該ケース蓋２２により本体ケース２１の収容口２１ａを閉塞する。この際、図１７（ａ）〜（ｃ）に示すように、ケース蓋２２のスライド移動に伴い、介装部材７３は嵌合雌部材７２に対してスライド移動する。そして、枠体７３ａが外殻部材７５ａの被係合部８４に進入して係合され、図１７（ｄ）に示すように、枠体７３ａの挿通孔９１が外殻部材７５ａの収容部８３と連通し、枠体７３ａの第２ピン挿通孔９４ｂが第２カシメ部材７６の第１ピン挿通孔８７ｂと連通する。
【００３８】
次いで、図１８（ａ）〜（ｃ）に示すように、カシメ部材７１が、挿通孔９１から収容部８３へ向かって嵌入される。収容部８３へ嵌入されたカシメ部材７１は、第１係止突部９８ａを第２カシメ部材７６の第１被係止部８５ａに係止させるとともに、第２係止突部９８ｂを枠体７３ａの下面で挿通孔９１の周縁に係止させる。これら第１係止突部９８ａと第１被係止部８５ａの係合関係及び第２係止突部９８ｂと枠体７３ａの係合関係により、カシメ部材７１は、挿入部９８が収容部８３から抜け出すことを規制される。またカシメ部材７１の嵌入孔９４ｃは、第２ピン挿通孔９４ｂ及び第１ピン挿通孔８７ｂと連通する。
【００３９】
次いで、図１９（ａ），（ｂ）に示すように、カシメピン７４が嵌入孔９４ｃ、第２ピン挿通孔９４ｂ及び第１ピン挿通孔８７ｂに嵌入されて封止作業が完了する。図１９（ｃ）に示すように、嵌入孔９４ｃ、第２ピン挿通孔９４ｂ及び第１ピン挿通孔８７ｂに嵌入されたカシメピン７４は、嵌入孔９４ｃに嵌入頭部７４ｂが嵌入され、さらに嵌入端部７４ｃが第２カシメ部材７６の被嵌入部８７ａに嵌入されて緊結固定されている。このため、該カシメピン７４を介して連結された第２カシメ部材７６、枠体７３ａ及びカシメ部材７１は、相互に動くことができず、第２カシメ部材７６、枠体７３ａ又はカシメ部材７１の何れかを移動させて封止を解除することはできなくなる。
また嵌入頭部７４ｂは、嵌入孔９４ｃの外部へ突出することなく、その内側に入り込んでいる。このため、外部からカシメピン７４を引き抜くことは不可能である。さらに嵌入孔９４ｃの周囲を破壊して嵌入頭部７４ｂを露出させたとしても、嵌入端部７４ｃと被嵌入部８７ａの嵌合を外部から解除することができないため、外部からカシメピン７４を引き抜くことは不可能である。
【００４０】
上記のように第２実施形態の基板ケース１７の封止作業は、ケース蓋２２を閉めて、カシメ部材７１及びカシメピン７４を装着するのみで完了する。封止作業の完了後は、カシメ部材７１及びカシメピン７４を取り外すことができず、ケース蓋２２を開閉することができなくなるため、基板ケース１７が確実に封止される。封止された基板ケース１７を開封するには、第１開封用切断部９２及び第２開封用切断部９３を全て切断して介装部材７３から枠体７３ａを切り離す必要がある。この場合には第１開封用切断部９２及び第２開封用切断部９３を切断した痕跡が残り、また他者の目に留まらずに短時間で合計３つの開封用切断部を切断することは不可能である。従って、本実施形態の封止構造は、封止作業が簡易でありながら、不正行為を確実に防止することができる。
さらに、メンテナンス等の理由で基板ケース１７を開封し、再び封止作業を行う場合、封止に使用するカシメ部材７１及びカシメピン７４は、基板ケース１７内に収容保管されている。従って、カシメ部材７１及びカシメピン７４を予め用意しておく等の手間を必要とせず、またカシメ部材７１及びカシメピン７４の紛失等のような不具合が発生せず、使い勝手を良好なものとすることができる。
【００４１】
なお、本発明は上記各実施形態の構成に限定されるものではなく、以下に示すように構成を変更してもよい。
各実施形態では嵌合雌部材を本体ケース２１に設け、介装部材をケース蓋２２に設けているが、嵌合雌部材をケース蓋２２に設け、介装部材をケース蓋２２に設けてもよい。
各実施形態では外殻部材と第２カシメ部材との２つの部材によって嵌合雌部材を構成したが、嵌合雌部材に少なくとも収容部と被係止部とが設けられていれば、嵌合雌部材を１つの部材によってのみ構成してもよい。
第２実施形態ではカシメ部材とカシメピンをそれぞれ別の場所に収容保管したが、これに限らず、例えば保管ケース内にまとめて収容保管する等のように、一緒の場所に収容保管してもよい。
【符号の説明】
【００４２】
１０      遊技機
１７      基板ケース
２１      本体ケース
２１ａ    収容口
２２      ケース蓋
２３      封止構造
３１      カシメ部材
３２      嵌合雌部材
３３      介装部材
３３ａ    枠体
３４      外殻部材
３５      第２カシメ部材
４２      収容部
４３      第１被係止部
４４      第２被係止部
４５ａ    第１被係合部
４５ｂ    第２被係合部
４９      規制片
４９ａ    突出部
４９ｂ    第１係止爪
４９ｃ    第２係止爪
５１      挿通孔
５２      第１開封用切断部
５３      第２開封用切断部
５４      収容凹部
５７      頭部
５８ａ    第１挿入部
５８ｂ    第２挿入部
５９      係止凹溝
６０      ガイド溝
６０ａ    凹部
６０ｂ    係止凹部
７１      カシメ部材
７２      嵌合雌部材
７３      介装部材
７３ａ    枠体
７４      カシメピン
７４ａ    軸部
７４ｂ    嵌入頭部
７４ｃ    嵌入端部
７５      ベース部材
７５ａ    外殻部材
８１ａ    ガイド凹条
８２ａ    ピン保管スペース
８２ｂ    保管ケース
８２ｃ    ガイド凸条
８２ｄ    カバー壁
８３      収容部
８４      被係合部
８５ａ    第１被係止部
８５ｂ    第２被係止部
８６ａ    係止溝
８７      ガイド筒部
８７ａ    被嵌入部
８７ｂ    第１ピン挿通孔
９１      挿通孔
９２      第１開封用切断部
９３      第２開封用切断部
９４      収容凹部
９４ｂ    第２ピン挿通孔
９４ｃ    嵌入孔
９７      頭部
９８      挿入部
９８ａ    第１係止突部
９８ｂ    第２係止突部
【図１】
2010201029.tif 000003
【図２】
2010201029.tif 000004
【図３】
2010201029.tif 000005
【図４】
2010201029.tif 000006
【図５】
2010201029.tif 000007
【図６】
2010201029.tif 000008
【図７】
2010201029.tif 000009
【図８】
2010201029.tif 000010
【図９】
2010201029.tif 000011
【図１０】
2010201029.tif 000012
【図１１】
2010201029.tif 000013
【図１２】
2010201029.tif 000014
【図１３】
2010201029.tif 000015
【図１４】
2010201029.tif 000016
【図１５】
2010201029.tif 000017
【図１６】
2010201029.tif 000018
【図１７】
2010201029.tif 000019
【図１８】
2010201029.tif 000020
【図１９】
2010201029.tif 000021